(57)【要約】【課題】服用状況の管理を支援するための服用管理支援装置、及び、服用管理システムを提供することを目的とする。【解決手段】薬品を収納する収納凹部を複数個有する第１部材と、前記各収納凹部を塞ぎ、前記各収納凹部に面する部分に、前記各収納凹部に収納された薬品を識別する薬品識別子が付されている第２部材とを備えた薬品収納体に収納された薬品の服用状況の管理を支援するための服用管理支援装置において、前記薬品識別子を読み取る読取手段と、前記各収納凹部に収納された薬品の服用者を識別する服用者識別子を記憶する記憶手段と、前記読取手段が読み取った薬品識別子と、前記記憶手段が記憶する服用者識別子とを管理サーバに送信する送信手段とを備えたことを特徴とする服用管理支援装置を提供する。【選択図】図１
2015062438.tif 000002
【特許請求の範囲】
【請求項１】
薬品を収納する収納凹部を複数個有する第１部材と、前記各収納凹部を塞ぎ、前記各収納凹部に面する部分に、前記各収納凹部に収納された薬品を識別する薬品識別子が付されている第２部材とを備えた薬品収納体に収納された薬品の服用状況の管理を支援するための服用管理支援装置において、
前記薬品識別子を読み取る読取手段と、
前記各収納凹部に収納された薬品の服用者を識別する服用者識別子を記憶する記憶手段と、
前記読取手段が読み取った薬品識別子と、前記記憶手段が記憶する服用者識別子とを管理サーバに送信する送信手段とを備えたことを特徴とする服用管理支援装置。
【請求項２】
請求項１に記載の服用管理支援装置と、
前記服用管理支援装置から送信された薬品識別子と服用者識別子とを管理する管理サーバとを備えたことを特徴とする服用管理システム。
【発明の詳細な説明】
【技術分野】
【０００１】
この発明は、薬品の服用状況の管理を支援するための服用管理支援装置、及び、服用管理システムに関する。
【背景技術】
【０００２】
医療機関や薬局から患者に渡された薬品について、一般的に、服用管理は患者に任せられており、薬品の飲み忘れなどがあっても、その事実を医療機関、薬局、患者の介護者などの第三者が把握していない場合がある。薬品の飲み忘れなどは患者の健康に悪影響を与えるため、第三者が服用状況を管理することが求められている。
【発明の概要】
【発明が解決しようとする課題】
【０００３】
本発明は、患者の薬品の服用状況を第三者が管理することを支援するための服用管理支援装置、及び、服用管理システムを提供することを目的とする。
【課題を解決するための手段】
【０００４】
本発明は、薬品を収納する収納凹部を複数個有する第１部材と、前記各収納凹部を塞ぎ、前記各収納凹部に面する部分に、前記各収納凹部に収納された薬品を識別する薬品識別子が付されている第２部材とを備えた薬品収納体に収納された薬品の服用状況の管理を支援するための服用管理支援装置において、前記薬品識別子を読み取る読取手段と、前記各収納凹部に収納された薬品の服用者を識別する服用者識別子を記憶する記憶手段と、前記読取手段が読み取った薬品識別子と、前記記憶手段が記憶する服用者識別子とを管理サーバに送信する送信手段とを備えたことを特徴とする服用管理支援装置を提供する。
【０００５】
薬品識別子が付される第２部材の収納凹部に面する部分は、薬品収納体の外部に露出しておらず、薬品を服用するために、第２部材を破って薬品を取り出すまでは撮影ができない部分である。従って、管理サーバに送信される薬品識別子は、服用のために収納凹部から取り出された薬品の薬品識別子だけである。仮に、第１部材が透明、又は、半透明であれば、薬品を服用するために第２部材を破らなくても、収納凹部の外から収納凹部内を撮影することは可能である。しかし、薬品が収納凹部に収納された状況では、第２部材の収納凹部に面する部分は薬品の陰になり撮影することはできない。従って、第１部材が透明、又は、半透明の場合であっても、管理サーバに送信される薬品識別子は、服用のために収納凹部から取り出された薬品の薬品識別子だけである。
【０００６】
管理サーバには、薬品収納体に収納された薬品の服用者の服用者識別子も送信されるので、第三者は、管理サーバに送信された薬品識別子と服用者識別子とから誰がどの薬品を飲んだのかを確実に知ることができ、服用状況を管理できる。
【０００７】
また、本発明においては、服用者識別子は服用管理支援装置に記憶されているため、第２部材の収納凹部に面する部分に服用者識別子を付す必要がない。服用者識別子の分だけ、第２部材の収納凹部に面する部分に付す情報量を少なくできる。従って、第２部材の収納凹部に面する部分が小さい等の理由により、この部分に付すことができる情報量が小さい薬品収納体であっても、本発明は薬品の服用状況を管理できる。
【０００８】
また、第２部材の収納凹部に面する部分には、服用者識別子が付されていないため、薬品収納体に付された情報のみだけでは、収納された薬品が特定できても、収納された薬品の服用者が誰であるかを特定できない。このため、本発明を利用した服用管理においては、薬品収納体が他人に渡っただけでは、誰にどの薬品が処方されたのか、又は、誰がどのような病気を患っているかなどの薬品と服用者、又は、病気と服用者が結びついた個人情報が漏洩することがない。
【発明の効果】
【０００９】
本発明に係る服用管理支援装置、及び、服用管理システムによれば、服用状況を適切に管理できる。
【図面の簡単な説明】
【００１０】
【図１】図１は、実施形態における服用管理システムの概念図である。
【図２】図２は、薬品収納体を示す図であり、図２（ａ）は第１部材に第２部材を貼り付けた状態の一部切欠き平面図であり、図２（ｂ）は図２（ａ）のＸ１−Ｘ１の断面図である。
【図３】図３は、第２部材の裏面（第１部材に貼り付けられる面）の平面図である。
【図４】図４は、薬品を取り出して、服用管理支援装置により薬品識別子を撮影している場面を示す模式図である。
【図５】図５は、他の例の服用管理支援装置を示す図であり、図５（ａ）は上部カバーを開いた状態を示し、図５（ｂ）は上部カバーを閉じた状態における服用管理支援装置の一部を示している。
【発明を実施するための形態】
【００１１】
本実施形態における服用管理システム１００は、図２に示す薬品収納体１に収納された薬品の服用管理をするためのものである。
【００１２】
図２に示すように、薬品収納体１は、ブリスターとも呼ばれ、薬品Ｍを収納する収納凹部１１１を複数個有する第１部材１１と、各収納凹部１１１を塞ぐ第２部材１２とを備える。
【００１３】
第１部材１１において、収納凹部１１１は７行４列の升目状に区画されている。第１部材１１１の長辺側の相対向する側壁１１２、短辺側の相対向する側壁１１３及びこれらの間を７行４列に区画する区画壁１１４は同じ高さに形成され、格子状に交差することによって均等な四角形の収納凹部１１１が形成される。第１部材１１は、透明又は半透明であり、収納凹部１１１に収納された薬品が視認できる。
【００１４】
第２部材１２は、第１部材１１の全面に一致する大きさの紙製シートである。第２部材１２の裏面は、長辺側の側壁１１２、短辺側の側壁１１３及び区画壁１１４の部分で第１部材１１に粘着剤により貼り付けられる。第２部材１２の表面には、図２に示すように、上下方向の７行分の各余白部分に、七曜表示１２１とこれに対応した日付表示１２２が施され、左右方向の４列分の余白部分に、「あさ」から「ねる前」等の時間表示１２３その他の表示が施される。また、第２部材１２の表面には、収容凹部１１１に対応する部分に、服用者の氏名、服用時、薬品名、その数量などの処方表示１２４が施されている。図示の場合は、１日４回（あさ、ひる、ゆう、ねる前）１週間分（日〜月）の薬品を収納する表示となっているが、処方によっては、１日３回５日分等のように、異なった分量を収納する場合がある。また、第２部材１２の収容凹部１１１に対応する部分の周囲には、ハーフカット、ミシン目等による破断線１２３が設けられている。収納凹部１１１の底面を指で第２部材１２側に押し込むと、図４に示すように、破断線１２３で第２部材１２が破断し、収納凹部１１１から薬品Ｍを取り出すことができる。
【００１５】
図３に示すように、第２部材１２の裏面の各収容凹部１１１に対応する部分（各収納凹部１１１に面する部分１２５）に、各収納凹部１１１に収納された薬品Ｍを識別する薬品識別子１２６が付されている。複数種の薬品が収納された収納凹部１１１に面する部分１２５には、複数種それぞれの薬品の薬品識別子１２６が付されている。薬品識別子１２６第２部材１２の収納凹部１１１に面する部分１２５は、薬品収納体１の外部に露出しておらず、かつ、薬品Ｍが収納凹部１１１に収納された状況では、第１部材１１が透明又は半透明であっても、薬品Ｍの陰になり収納凹部１１１の外部から撮影することはできない部分である。尚、薬品識別子１２５は、二次元コード等の２次元コードを利用して薬品名をコード化したものが用いられている。
【００１６】
このような薬品収納体１に収納された薬品の服用管理をする服用管理システム１００は、図１に示すように、服用管理支援装置２と、管理サーバ３と、医療機関端末４とを備えている。これらはネットワークＮで通信可能に接続されている。
【００１７】
服用管理支援装置２は、薬品収納体１の第２部材１２に付された薬品識別子１２６を読み取る読取手段２１と、各収納凹部１１１に収納された薬品Ｍの服用者を識別する記憶手段２２と、読取手段２１が読み取った薬品識別子と記憶手段２２が記憶する服用者識別子とを管理サーバ３に送信する送信手段２３とを備えている。服用管理支援装置２として、スマートフォンなどの携帯電話、又は、ノートパソコン等を用いることができる。服用管理支援装置２として用いることができる携帯電話、又は、ノートパソコン等は、薬品収納体１に収納された薬品の服用者の所有のものであっても、その保護者や介護者の所有のものであってもよい。読取手段２１としては、例えば、バーコード等のリーダや、カメラ機能を利用して撮影したものから薬品識別子を抽出する物などが挙げられる。
【００１８】
管理サーバ３は、送信手段２３から送信された薬品識別子と、服用者識別子とを管理する管理手段３１を備えている。管理手段３１は、送信された薬品識別子と服用者識別子との組を、医療機関端末４に送信する。医療機関の職員は、医療機関端末４を操作して、送信された薬品識別子と服用識別子との組から、誰がどの薬を飲んだのかを確認できる。
【００１９】
次に、本実施形態の服用管理システムを用いた服用管理について説明する。まず、服用者は、服用時期になると、図４に示すように、薬品包装体１の収納凹部１１１から薬品Ｍを押し出し、服用する。薬品Ｍを押し出すと、第２部材１２の収納凹部１１１に面する部分１２５が露出し、この部分に付された薬品識別子１２６を撮影することができる状況となる。次に、服用者は、服用管理支援装置２で、薬品識別子１２６を撮影し、撮影した薬品識別子１２６と記憶手段２２に記憶された服用者識別子を管理サーバ３に送信する。管理サーバ３は、送信された薬品識別子１２６と服用者識別子との組を医療機関端末４に送信する。
【００２０】
これにより、医療機関では、誰がどの薬品を飲んだのかを確認でき、服用状況を管理できる。尚、薬品識別子１２６として、薬品名を文字で表したものであってもよい。この場合、医療機関において、薬品識別子をデコードすることなく、服用した薬品をかくにんすることができる。
【００２１】
本実施形態においては、服用者識別子は服用管理支援装置２に記憶されているため、薬品収納体１の収納凹部１１１に面する部分１２５に服用者識別子を付す必要がない。服用者識別子の分だけ、収納凹部１１１に面する部分１２５に付す情報量を少なくできる。従って、収納凹部１１１に面する部分１２５が小さい等の理由により、この部分に付すことができる情報量が小さい薬品収納体１であっても、本実施形態の服用管理システムにより、服用状況を管理できる。
【００２２】
また、収納凹部１１１に面する部分１２５には、服用者識別子が付されていないため、薬品収納体１に付された情報のみだけでは、収納された薬品Ｍが特定できても、収納された薬品Ｍの服用者が誰であるかを特定できない。このため、薬品収納体１が他人に渡っただけでは、誰がどの薬品を処方されたのか、又は、誰がどのような病気を患っているか等の薬品と服用者、又は、病気と服用者が結びついた個人情報が漏洩することがない。
【００２３】
各収納凹部１１１に面する部分１２５に、薬品識別子１２６に加えて、各収納凹部１１１に収納された薬品Ｍの服用時期を示す服用時期識別子を付し、服用時期識別子を撮影手段２１で撮影して管理サーバ３に送信し、管理サーバ３は服用時期識別子と薬品識別子と服用者識別子との組を医療機関端末４に送信してもよい。服用時期識別子が送信されることにより、誰が、何時服用すべき薬品を服用したのかまでも医療機関が管理でき、これらを保存しておくことで、服用状況を後日振り返ることができる。服用時期識別子としては、服用すべき日付と時間、又は、曜日と時間を特定できるものであってもよい。または、薬剤Ｍが収納された収納凹部１１１を特定するものであってもよい。また、各収納凹部１１１に面する部分１２５に、薬品識別子、及び、服用識別子に、加えて、収納される錠剤の数を示す数量識別子を付してもよい。また、実施形態の服用管理システムにおいて、医療機関端末４に代えて、薬局端末、又は、薬品収納体１の服用者の介護者、家族等の端末を用いてもよい。これにより、医療機関に限らず、遠隔の第三者に服用状況を知らせることができる。
【００２４】
服用管理支援装置の他の例として、図５に示すように、上記の第１部材１１を着脱自在に装着できる本体５０と、図示しないヒンジを介して本体５０に対して開閉可能に取り付けられた上部カバー６０とを備える服用管理支援装置７０が挙げられる。本体５０は、図５（ａ）に示すように、上部カバー６０を開いた状態で、第１部材１１を上方から装着できる装着部５１を備えている。装着部５１は、区画壁５２によって、複数の収納凹部１１１を個別にはめ込むことができる収納空間５３が複数形成されている。区画壁５２には、各収納空間５３に対応したＬＥＤランプ５４が設けられている。更に、本体５０は、装着部５１に装着される第１部材１１の各収納凹部１１１に収納された薬品Ｍの薬品識別子と、装着部５１に装着される第１部材１１の各収納凹部１１１に収納された薬品Ｍの服用時期とを記憶し、何れかの薬品Ｍの服用時期が到来すると、その旨をスピーカ５６にて報知し、服用時期が到来した薬品Ｍが収納された収納凹部１１１に対応するＬＥＤランプ５４を点灯（又は点滅）させる管理手段を備えている。尚、本体５０は、液晶表示部５５を備えていてもよい。
【００２５】
上部カバー６０は、収納空間５３と同数の開口６１が設けられている。装着部５１１に第１部材１１を装着した状態で、図５（ｂ）に示すように、上部カバー６０を閉じると、各開口６１が第１部材１１の各収納凹部１１１の上方に位置する。各開口６１は、蓋６２によって塞がれている。上部カバー６０の各開口６１近傍と蓋６２とは磁力によって着脱自在に固定されている。蓋６２は、透明、又は、半透明であり、上記の通り、第１部材１１も透明、又は、半透明であるため、収納凹部１１１を収納空間５３にはめ込んだ状態で、上部カバー６０を閉じても、点灯したＬＥＤランプ５４を視認でき、当該ＬＥＤランプ５４に対応する収納凹部１１１を服用管理支援装置７０の外部から視認できる。
【００２６】
更に、本体５０の管理手段は、各蓋６２の着脱を監視しており、上部カバー６０から何れかの蓋６２が取り外されると、取り外された蓋６２が、点灯しているＬＥＤランプ５４に対応する収納空間５３にはめ込まれた収納凹部１１１を塞いでいる蓋６２であれば、ＬＥＤランプ５４を消灯する。管理手段は、装着部５１に装着される第１部材１１の収納凹部１１１に収納された薬品Ｍの服用者を識別する服用者識別子を記憶しており、ＬＥＤランプ５４を消灯すると、管理サーバ３に当該ＬＥＤランプ５４に対応する収納凹部１１１に収納された薬品Ｍの薬品識別子と、服用者識別子とを送信する。
【００２７】
服用管理支援装置７０の使用例として、服用者、又は、その介護者（服用者に薬品Ｍを配達する薬局の職員も含む）等は、上部カバー６０を開き、収納凹部１１１に薬品が収納された第１部材１１を装着部５１に装着して上部カバー６０を閉じる。そして、服用者又は服用者の介護者等は、各収納凹部１１１に収納された薬品Ｍの服用時期、及び、薬品Ｍの薬品識別子を管理手段に記憶させる。これにより、収納凹部１１１に収納された何れかの薬品Ｍの服用時期が到来すると、その旨がスピーカ５６にて報知され、服用時期が到来した薬品Ｍが収納された収納凹部１１１に対応するＬＥＤランプ５４が点灯する。服用者は、ＬＥＤランプ５４が点灯した収納凹部１１１に対応する蓋６２を取り外し、収納凹部１１１に収納されている薬品Ｍを服用する。蓋６２が取り外されると、ＬＥＤランプ５４が消灯し、服用者識別子と、ＬＥＤランプ５４に対応する収納凹部１１１に収納された薬品Ｍの薬品識別子とが管理サーバ３に送信される。
【００２８】
装着部５１に装着された第１部材１１の全ての収納凹部１１１に収納された薬品Ｍが服用されて無くなると、この第１部材１１を破棄し、各収納凹部１１１に予め薬品が収納された別の第１部材１１を装着部５１に装着することで、服用管理支援装置７０を再利用することができる。
【００２９】
服用管理支援装置７０には、図５（ｂ）に示すように、上部カバー６０を閉じた状態で使用できるタブレット型のＰＣ６３が着脱自在に取り付けられていてもよい。タブレット型のＰＣ６３は、医療機関などの第三者とのテレビ電話の画像を表示することが可能であり、服薬時期になると回線を接続し、服用者は第三者と会話ができるようになり、テレビ電話の接続先からの服薬の通知や、服薬したかどうかの状況を確認したり、また服用薬剤の各種情報、注意事項等を表示したりしてもよい。
【００３０】
第１部材１１の各収納凹部１１１への薬品の収納は、ブリスターパック包装装置（図示せず）によって行われてもよいし、薬剤師等が分包された薬品を分包紙から取り出して行ってもよい。上部カバー６０の各開口６１の近傍には服用時期を示す表示がされており、例えば縦の列には月曜日から日曜日までの曜日が分かるように表示することができ、横の行には朝、昼、晩、眠前といった服用時間を表示することができる。これにより服用者はマトリックス状に服用する曜日と時期を容易に確認することができる。液晶表示部５５は、服用時の注意事項や、第１部材１１の交換時期（即ち、通院の時期）の報知等、各種ガイダンスを表示することができる。第１部材１１は、ウィークリーカレンダー式処方薬パックと呼ばれることもある。蓋６２により開口６１が閉じられるので、湿気やほこり等から薬品Ｍを守ることができる。また、蓋６２が開けられると、医療機関などの第三者とのテレビ電話による画像を自動で表示するようにしてもよい。また、服用時期が到来していない蓋６２が開けられた場合は、テレビ電話により、医療機関などの第三者がその旨を服用者に伝え、飲み間違えを事前に防止することもできる。蓋６２の開閉検知は、例えば、磁石を電気的にセンサー（図示せず）と接続し、各収納凹部１１１の蓋６２が開けられると、センサーが反応し蓋６２が開けられたことを検知するようにしてもよい。また、上部カバー６０は本体５０に対して着脱できるようにし、汚れた場合に交換できるようにしてもよい。
【符号の説明】
【００３１】
１  薬品収納体
１１  第１部材
１１１  収納凹部
１２  第２部材
１２５  収納凹部に面する部分
１２６  薬品識別子
２  服用管理支援装置
Ｍ  薬品
【図１】
2015062438.tif 000003
【図２】
2015062438.tif 000004
【図３】
2015062438.tif 000005
【図４】
2015062438.tif 000006
【図５】
2015062438.tif 000007